Podtech/llm-jp-corpus-v4-ja_patent huggingface dataset:
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
発光部と、
スピーカと、 
当否判定結果が当たりとなることが確定する演出であって前記発光部が所定の態様で発光する第一演出および前記スピーカから所定の演出音が出力される第二演出を制御可能な演出制御手段と、 
を備え、
前記演出制御手段により前記第一演出を遊技者が予測不可能なタイミングで発生させる場合の態様として、
前記第一演出と前記第二演出とを同時期に発生させる複合演出態様、
および前記第一演出が実行されている最中に前記第二演出を発生させない単独演出態様
が独立した演出態様として設定されていることを特徴とする遊技機。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
表示領域に演出用画像が表示される表示装置と、
前記演出用画像の連続性を保ちつつ、当該演出用画像が含む特定の色の度合を段階的に変化させていき、演出発生前の前記特定の色の度合に対して最も変化が大きい最大変化画像に至ることが遊技者に有利な事象として設定された演出であって、当該演出用画像が含む前記特定の色の度合が段階的に変化している最中において当否判定結果を報知する識別図柄の色調が維持される色調変化演出を実行することが可能な演出実行手段と、
を備えることを特徴とする遊技機。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
遊技価値の払出数を累積してカウントするものであって、遊技価値の払出数の総数である払出総数を記憶する払出数カウンタと、
役物の作動中の遊技価値の払出数である役物払出数を累積してカウントするものであって、前記役物の作動中の遊技価値の払出数の総数である役物払出総数を記憶する役物払出数カウンタと、
前記払出総数および前記役物払出総数に基づいて役物比率を算出する比率算出手段と、
前記比率算出手段によって算出された前記役物比率の数値を表示装置に表示させる制御を行う表示制御手段とを備え、
前記払出数カウンタは下限値から上限値の範囲内で更新され、
前記払出数カウンタの値が前記上限値に達した場合に、前記払出数カウンタによる前記払出数のカウントを停止し、前記役物払出数カウンタによる前記役物払出数のカウントも停止することを特徴とする遊技機。
【請求項２】
遊技価値の払出数を累積してカウントするものであって、遊技価値の払出数の総数である払出総数を記憶する払出数カウンタと、
第一種特別役物の作動中の遊技価値の払出数である連続役物払出数を累積してカウントするものであって、前記第一種特別役物の作動中の遊技価値の払出数の総数である連続役物払出総数を記憶する連続役物払出数カウンタと、
前記払出総数および前記連続役物払出総数に基づいて連続役物比率を算出する比率算出手段と、
前記比率算出手段によって算出された前記連続役物比率の数値を表示装置に表示させる制御を行う表示制御手段とを備え、
前記払出数カウンタは下限値から上限値の範囲内で更新され、
前記払出数カウンタの値が前記上限値に達した場合に、前記払出数カウンタによる前記払出数のカウントを停止し、前記連続役物払出数カウンタによる前記連続役物払出数のカウントも停止することを特徴とする遊技機。
【請求項３】
特別演出状態を含む複数種類の演出状態の間で演出状態を移行させ、前記特別演出状態では予め定められた特別演出状態の終了条件が成立した場合に当該特別演出状態を終了させる特別演出状態制御手段と、
通常区間と有利区間とを含む複数種類の遊技区間の間で遊技区間を移行させ、前記有利区間においてクリアカウンタの値を更新して前記クリアカウンタの値に基づいて前記有利区間を終了させて演出状態を初期化する初期化処理を実行する初期化手段と、
遊技回数を累積してカウントするものであって、総遊技回数を記憶する遊技回数カウンタと、
前記有利区間の遊技回数を累積してカウントするものであって、前記有利区間の遊技回数の総数を記憶する有利区間遊技回数カウンタと、
前記総遊技回数および前記有利区間の遊技回数の総数に基づいて前記総遊技回数に対する前記有利区間の遊技回数の総数の比率である有利区間滞在比率を算出する比率算出手段と、
前記比率算出手段によって算出された前記有利区間滞在比率の数値を表示装置に表示させる制御を行う表示制御手段と、を備え、
前記特別演出状態制御手段が、
前記有利区間において演出状態を前記特別演出状態に滞在させる場合が存在し、
前記初期化手段が、
前記通常区間において遊技区間を前記有利区間に移行させることが決定されたことに基づいて遊技区間を前記有利区間に移行させ、前記初期化処理を行う場合に、演出状態が前記特別演出状態である場合には前記特別演出状態の終了条件が成立していなくても当該特別演出状態を終了させ、
前記遊技回数カウンタは下限値から上限値の範囲内で更新され、
前記遊技回数カウンタの値が前記上限値に達した場合に、前記遊技回数カウンタによる前記遊技回数のカウントを停止し、前記有利区間遊技回数カウンタによる前記有利区間の遊技回数のカウントも停止することを特徴とする遊技機。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
表示領域に演出用画像が表示される表示装置と、
前記演出用画像の連続性を保ちつつ、当該演出用画像の少なくとも一部の明度を遊技者の直接的な関与がなくても自動的に段階的に変化させていく画像変化演出を実行することが可能な演出実行手段と、
を備えることを特徴とする遊技機。
【請求項２】
前記画像変化演出を通じて、当否判定結果を示す識別図柄および当否判定に用いられる当否判定情報の存在を示す保留図柄の明度は維持されることを特徴とする請求項１に記載の遊技機。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間において特定抽選を行い、特定抽選に当選したことに基づいて有利区間を開始させ、有利区間においてクリアカウンタの値を更新するとともに所定条件下でアシストタイム遊技を行わせ、クリアカウンタの値が所定値に達したことに基づいて有利区間を終了させて記憶手段の一部の記憶領域に記憶されている情報を初期化する初期化処理を行ってから通常区間に復帰させる特典付与手段と、
前記アシストタイム遊技において所定の役の入賞を補助する入賞補助演出を演出装置に実行させる制御を行う演出制御手段と、
複数段階の設定値の間で設定値を変更可能とする設定変更手段と、を備え、
前記設定値の変更を行うことができるが遊技を行うことができない設定変更モードと、前記設定値の変更を行うことができないが遊技を行うことができる遊技モードとが設定可能とされた遊技機であって、
前記設定変更手段が、
前記設定変更モードにおいて、前記記憶手段の一部の記憶領域に記憶されている情報を初期化する初期化処理を行い、
前記記憶手段の特定の記憶領域が、前記有利区間の終了時に行われる初期化処理と前記設定変更モードにおいて行われる初期化処理とのいずれにおいても初期化対象となっていることを特徴とする遊技機。
【請求項２】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間において特定抽選を行い、特定抽選に当選したことに基づいて有利区間を開始させ、有利区間においてクリアカウンタの値を更新するとともに所定条件下でアシストタイム遊技を行わせ、クリアカウンタの値が所定値に達したことに基づいて有利区間を終了させて記憶手段の一部の記憶領域に記憶されている情報を初期化する初期化処理を行ってから通常区間に復帰させる特典付与手段と、
前記アシストタイム遊技において所定の役の入賞を補助する入賞補助演出を演出装置に実行させる制御を行う演出制御手段と、
複数段階の設定値の間で設定値を変更可能とする設定変更手段と、を備え、
前記設定値の変更を行うことができるが遊技を行うことができない設定変更モードと、前記設定値の変更を行うことができないが遊技を行うことができる遊技モードとが設定可能とされた遊技機であって、
前記設定変更手段が、
前記設定変更モードにおいて、前記記憶手段の一部の記憶領域に記憶されている情報を初期化する初期化処理を行い、
前記有利区間の終了時に行われる初期化処理と前記設定変更モードにおいて行われる初期化処理とのいずれにおいても初期化対象となっていない前記記憶手段の記憶領域が存在することを特徴とする遊技機。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
圧電素子を有している振動部と、前記振動部に配置されており、被駆動部に駆動力を伝達する伝達部と、を備えている振動子と、
前記振動子を前記被駆動部に向けて付勢する付勢部と、を有し、
前記付勢部は、前記振動子に接続されている基部と、前記基部と一体である一対のバネ部と、を備えていることを特徴とする圧電アクチュエーター。
【請求項２】
前記付勢部は、シリコンを含んでいる請求項１に記載の圧電アクチュエーター。
【請求項３】
前記付勢部は、エッチング面を有している請求項１または２に記載の圧電アクチュエーター。
【請求項４】
前記振動子は、前記基部と接続して前記振動部を支持している支持部を有している請求項１ないし３のいずれか１項に記載の圧電アクチュエーター。
【請求項５】
前記振動子は、複数の前記付勢部の間に配置されている請求項１ないし４のいずれか１項に記載の圧電アクチュエーター。
【請求項６】
前記付勢部は、前記振動子と前記付勢部とが重なる方向から見た平面視で、前記振動部と重なる領域を有し、前記重なる領域において前記付勢部と前記振動部との間には空隙が設けられている請求項１ないし５のいずれか１項に記載の圧電アクチュエーター。
【請求項７】
前記付勢部は、一対のバネ部を介して前記基部と接続されている接続部を有し、
前記接続部は、前記振動子の付勢方向と交差する方向に前記基部と並んで配置されている請求項１ないし６のいずれか１項に記載の圧電アクチュエーター。
【請求項８】
複数の前記振動子を有し、
複数の前記振動子は、積層されている請求項１ないし７のいずれか１項に記載の圧電アクチュエーター。
【請求項９】
請求項１ないし８のいずれか１項に記載の圧電アクチュエーターを備えていることを特徴とする圧電モーター。
【請求項１０】
請求項１ないし８のいずれか１項に記載の圧電アクチュエーターを備えていることを特徴とするロボット。
【請求項１１】
請求項１ないし８のいずれか１項に記載の圧電アクチュエーターを備えていることを特徴とする電子部品搬送装置。
【請求項１２】
請求項１ないし８のいずれか１項に記載の圧電アクチュエーターを備えていることを特徴とするプリンター。
【請求項１３】
複数の振動子を有している振動子基板と、複数の付勢部を有している付勢部基板とを接合する工程と、
前記接合する工程で得られた接合基板を個片化する工程と、を含むことを特徴とする圧電アクチュエーターの製造方法。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
本体と、
リハビリテーションの対象者の位置を取得するセンサ部と、
前記対象者の動作に応じて前記本体を移動可能な駆動部と、
前記対象者の位置に対して前記対象者の動作の進行方向の前方に前記対象者の動作を誘導する誘導画像を投射する投射部と、
を備えるリハビリテーション支援装置。
【請求項２】
前記リハビリテーション支援装置が第１位置にいるときに、前記投射部は第２位置に前記誘導画像を投射し、前記リハビリテーション支援装置が前記第１位置とは異なる第３位置にいるときに、前記投射部は前記第２位置に前記誘導画像を投射する
請求項１に記載のリハビリテーション支援装置。
【請求項３】
前記駆動部が前記本体を第１向きに移動するとき、前記投射部は前記第１向きとは異なる第２向きに前記誘導画像を投射する
請求項１または請求項２記載のリハビリテーション支援装置。
【請求項４】
前記対象者の足の機能回復に応じた足用表示パラメータを取得するパラメータ取得部
を更に備え、
前記投射部は、前記足用表示パラメータに基づく位置に前記誘導画像を投射する
請求項１乃至請求項３いずれか１項に記載のリハビリテーション支援装置。
【請求項５】
前記投射部は、前記対象者の足の移動距離に係る前記足用表示パラメータである足用距離パラメータ、前記対象者の足の移動時間に係る前記足用表示パラメータである足用時間パラメータ、及び前記対象者の足の移動方向に係る前記足用表示パラメータである足用ベクトルパラメータ、のうちの少なくとも１つに基づく位置に前記誘導画像を投射する
請求項４に記載のリハビリテーション支援装置。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
光を光電変換して電荷を生成する光電変換部と、
前記光電変換部で生成された電荷量が閾値以上となると信号を出力する検出部と、
前記光電変換部で生成された電荷量が前記閾値以上となった回数を計数する計数部と、
複数の前記光電変換部毎に前記閾値を制御する制御部と、
前記光電変換部で生成された電荷に基づく信号が出力される出力部と、
を備える撮像素子。
【請求項２】
請求項１に記載の撮像素子において、
前記制御部は、複数の前記光電変換部毎に独立して前記閾値を制御する撮像素子。
【請求項３】
請求項１または２に記載の撮像素子において、
前記制御部は、前記光電変換部に入射する光の強度に基づいて前記閾値を制御する撮像素子。
【請求項４】
請求項１から３のいずれか一項に記載の撮像素子において、
前記制御部は、複数の前記光電変換部に入射する光の強度に基づいて、複数の前記光電変換部毎に前記閾値を制御する撮像素子。
【請求項５】
請求項１から４のいずれか一項に記載の撮像素子において、
複数の前記制御部を備え、
複数の前記制御部はそれぞれ複数の前記光電変換部毎に１つ設けられ、複数の前記光電変換部毎に前記閾値を制御する撮像素子。
【請求項６】
請求項１から５のいずれか一項に記載の撮像素子において、
前記検出部は、前記光電変換部で生成された電荷に基づく信号に基づいて、前記光電変換部で生成された電荷量が閾値以上となることを検出する撮像素子。
【請求項７】
請求項１から６のいずれか一項に記載の撮像素子において、
前記計数部は、所定の期間内に、前記光電変換部で生成された電荷量が閾値以上になった回数を計数する撮像素子。
【請求項８】
請求項１から７のいずれか一項に記載の撮像素子において、
前記計数部は、前記検出部から出力された信号に基づいて、前記光電変換部で生成された電荷量が閾値以上になった回数を計数する撮像素子。
【請求項９】
請求項１から８のいずれか一項に記載の撮像素子において、
前記光電変換部で生成された電荷の蓄積をリセットするリセット部を備え、
前記計数部は、前記リセット部によりリセットされた回数を計数する撮像素子。
【請求項１０】
請求項９に記載の撮像素子において、
前記検出部から出力された信号を遅延させた信号を出力する遅延部を備え、
前記検出部は、前記遅延部から信号が出力されたタイミングにおいて前記出力部から出力される信号と、前記光電変換部で生成された電荷に基づく信号との差分が入力される撮像素子。
【請求項１１】
請求項１から１０のいずれか一項に記載の撮像素子において、
複数の前記光電変換部が設けられる撮像チップと、
前記撮像チップに積層され、前記計数部が設けられる信号処理チップと、
を備える撮像素子。
【請求項１２】
請求項１１に記載の撮像素子において、
前記検出部は、前記撮像チップに設けられる撮像素子。
【請求項１３】
請求項１から１２のいずれか一項に記載の撮像素子を備える撮像装置。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
電動車両の進行方向を前進または後進に切替える前後進切替操作部と、
前記前後進切替操作部で切り替えられた進行方向へのアクセル操作を行うアクセル操作部と、
前記アクセル操作部の操作に基づいて駆動するモータと、を有する電動車両のアクセル装置において、
所定の走行許可条件を満たした場合に前記モータの駆動による前記電動車両の走行を許可する制御部を備え、
前記制御部は、前記前後進切替操作部が操作されてから所定時間以内に前記アクセル操作部が操作されたことを前記走行許可条件として、前記電動車両の走行を許可することを特徴とする電動車両のアクセル装置。
【請求項２】
前記前後進切替操作部は、前進を指示する前進位置と、後進を指示する後進位置とを含み、
前記制御部は、前記前後進切替操作部が前記前進位置または前記後進位置に操作されてから所定時間以内に前記アクセル操作部が操作されたことを前記走行許可条件として、前記電動車両の走行を許可することを特徴とする請求項１に記載の電動車両のアクセル装置。
【請求項３】
前記前後進切替操作部は、前進を指示する前進位置と、後進を指示する後進位置と、進行を指示しない中立位置とを含み、
前記制御部は、前記前後進切替操作部が前記中立位置から前記前進位置または前記前進位置へ操作されてから所定時間以内に前記アクセル操作部が操作されたことを前記走行許可条件として、前記電動車両の走行を許可することを特徴とする請求項１に記載の電動車両のアクセル装置。
【請求項４】
前記前後進切替操作部は、未操作時に前記中立位置に復帰することを特徴とする請求項３に記載の電動車両のアクセル装置。
【請求項５】
前記前後進切替操作部は、前進を指示する前進指示ボタンと、後進を指示する後進指示ボタンとを含み、
前記制御部は、前記前後進切替操作部で前記前進指示ボタンまたは前記後進指示ボタンが操作されてから所定時間以内に前記アクセル操作部が操作されたことを前記走行許可条件として、前記電動車両の走行を許可することを特徴とする請求項１に記載の電動車両のアクセル装置。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
少なくとも１つのランダムアクセスメモリと、
プロセッサであって、プロセッサが通信バスを介して前記少なくとも１つのランダムアクセスメモリと電気的に通信し、前記少なくとも１つのランダムアクセスメモリに対してデータを読み書きできる、プロセッサと
を含むコンピュータシステムであって、
前記プロセッサは、
符号化されていないデータのブロックを引き出し、
前記符号化されていないデータのブロックを複数のデータベクトルに分解し、
前記符号化されていないデータの特徴から複数のビットマーカを引き出し、
前記複数のビットマーカの内の１つに前記複数のデータベクトルの各データベクトルをマッピングし、
前記複数のビットマーカの内の１つの前記複数のデータベクトルの各データベクトルのマッピングに基づいて、符号化されていないデータのビットマーカベースによる符号化を作り出し、
符号化されていないデータの符号化された表現を作り出すために、前記複数のビッドマーカーに基づいて、符号化されていないデータのビットマーカベースによる符号化をランダムアクセスメモリ記憶ユニットに記憶する、
ように構成され、
ここで、複数のデータベクトルの各々は、データビッドのシーケンスを表し、
コンピュータシステムは、従来のハードドライブを必要とせずにデータを処理する、
コンピュータシステム。
【請求項２】
前記少なくとも１つのランダムアクセスメモリに接続され、停電の場合に少なくとも１つのランダムアクセスメモリに記憶されたデータの完全性を維持するのに十分なバックアップ電力を提供するように構成されるエネルギー源をさらに含む、請求項１に記載のコンピュータシステム。
【請求項３】
前記エネルギー源が少なくとも６００ファラドの大容量のキャパシタを含む、請求項２に記載のコンピュータシステム。
【請求項４】
前記エネルギー源がバッテリを含む、請求項２に記載のコンピュータシステム。
【請求項５】
プロセッサとの通信を可能にする、通信バスと電気的に通信するデュアルインラインメモリモジュールソケットと、
前記デュアルインラインメモリモジュールソケットに結合されたメモリインタフェースと
を更に含み、
少なくとも１つのランダムアクセスメモリは前記メモリインタフェースに結合され、前記メモリインタフェースは前記エネルギー源を含む、請求項２に記載のコンピュータシステム。
【請求項６】
前記メモリインタフェースは、停電を検出するように構成された第２のプロセッサを含む、請求項５に記載のコンピュータシステム。
【請求項７】
前記少なくとも１つのランダムアクセスメモリは、符号化されていない形式で記憶された場合に前記少なくとも１つのランダムアクセスメモリの記憶容量を超える量の符号化データを記憶する、請求項１に記載のコンピュータシステム。
【請求項８】
前記プロセッサは、従来の機能におけるプロセッサの動作をサポートするために前記少なくとも１つのランダムアクセスメモリを活用する、請求項１に記載のコンピュータシステム。
【請求項９】
前記複数のデータベクトルのうちの少なくともいくつかが、前記符号化されていないデータのブロックを符号化するときに互いと重複する、請求項１に記載のコンピュータシステム。
【請求項１０】
前記符号化されていないデータの前記ブロックが合成オブジェクトを表すことを特徴とする請求項１に記載のコンピュータシステム。
【請求項１１】
前記符号化されていないデータの前記ブロックが多次元データオブジェクトを表す、請求項１に記載のコンピュータシステム。
【請求項１２】
前記プロセッサは、更に、
少なくとも１つのランダムアクセスメモリからビットマーカベースによる符号化の少なくとも一部を引き出し、
前記ビットマーカベースによる符号化の少なくとも一部を各データベクトルにマッピングし、
各データベクトルを符号化されていないデータのブロックと結合して、符号化されていない複合データブロックを作り出し、
符号化されていない複合データブロックを複合データとして作り出す、
ように構成される、
請求項１に記載のコンピュータシステム。
【請求項１３】
従来のハードドライブをさらに含む、請求項１に記載のコンピュータシステム。
【請求項１４】
通信バスと電気的に通信するデュアルインラインメモリモジュールソケットと、
前記デュアルインラインメモリモジュールソケットに結合されたメモリインタフェースと電気的に通信するランダムアクセスメモリ記憶ユニットと、
前記通信バスを介して前記デュアルインラインメモリモジュールソケットと電気的に通信するプロセッサと、
を含むコンピュータシステムであって、
前記プロセッサは、
符号化されていないデータのブロックを引き出し、
符号化されていないデータの前記ブロックを複数のデータベクトルに分解し、
前記符号化されていないデータの特徴から複数のビットマーカを引き出し、
前記複数のビットマーカの内の１つに前記複数のデータベクトルの各データベクトルをマッピングし、
前記複数のビットマーカの内の１つの前記複数のデータベクトルの各データベクトルのマッピングに基づいて、符号化されていないデータのビットマーカベースによる符号化を作り出し、
前記符号化されていないデータの符号化された表現を作り出すために、複数のビッドマーカーに基づいて、符号化されていないデータのビットマーカベースによる符号化をランダムアクセスメモリ記憶ユニットに記憶する、
ように構成され、
ここで、複数のデータベクトルの各々は、データビッドのシーケンスを表し、
前記ランダムアクセスメモリ記憶ユニットは、符号化されていない形式で表現された場合に前記ランダムアクセスメモリの記憶容量を超える量の符号化データを記憶し、コンピュータシステムが従来のハードドライブを必要とせずに動作できるようにする、コンピュータシステム。
【請求項１５】
前記メモリインタフェースは、停電の場合に前記少なくとも１つのランダムアクセスメモリ記憶ユニットに記憶されたデータの完全性を維持するのに十分なバックアップ電力を提供するように構成されるエネルギー源を含む、請求項１４に記載のコンピュータシステム。
【請求項１６】
前記エネルギー源が少なくとも６００ファラドの大容量のキャパシタを含む、請求項１５に記載のコンピュータシステム。
【請求項１７】
前記エネルギー源がバッテリを含む、請求項１５に記載のコンピュータシステム。
【請求項１８】
前記メモリインタフェースは、停電を検出するように構成された第２のプロセッサを含む、請求項１４に記載のコンピュータシステム。
【請求項１９】
前記プロセッサは、更に、
ランダムアクセスメモリ記憶ユニットからビットマーカベースによる符号化の少なくとも一部を引き出し、
前記ビットマーカベースによる符号化の少なくとも一部におけるビットマーカを各データベクトルにマッピングし、
各データベクトルを符号化されていないデータのブロックと結合して、符号化されていない複合データブロックを作り出し、
符号化されていない複合データブロックを複合データとして作り出す、
ように構成される、
請求項１４に記載のコンピュータシステム。
【請求項２０】
従来のハードドライブをさらに備える、請求項１４に記載のコンピュータシステム。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
スピーキングテストのアプリケーションを予め記憶する単一の携帯型情報処理装置を複数の受検者に順次配布して前記スピーキングテストを複数回実施し、複数回の前記スピーキングテストの終了後に前記スピーキングテストに対する解答データが記憶された状態で回収される前記携帯型情報処理装置であって、
前記スピーキングテストの第１受検者の第１識別情報及び第２受検者の第２識別情報を入力するための入力手段と、
前記スピーキングテストのアプリケーションを実行する実行手段と、
前記スピーキングテストの問題に対する前記第１受検者による第１解答及び前記第２受検者による第２解答を入力するためのマイクと、
前記第１解答を、前記第１識別情報に関連付けて第１解答データとして記憶し、かつ、前記第２解答を、前記第２識別情報に関連付けて第２解答データとして記憶するための記憶手段と、
前記回収された前記携帯型情報処理装置から、前記記憶手段に、前記第１識別情報に関連付けられて記憶された前記第１解答データ及び前記第２識別情報に関連付けられて記憶された前記第２解答データを、データ回線を用いて送信するための送信手段と、
を有する携帯型情報処理装置。
【請求項２】
前記マイクは、前記スピーキングテストの第２問題に対する前記第１受検者による第３解答及び前記第２受検者による第４解答を入力するように構成されており、
前記記憶手段は、前記第３解答を、前記第１識別情報に関連付けて第３解答データとして記憶し、かつ、前記第４解答を、前記第２識別情報に関連付けて第４解答データとして記憶するように構成されており、
前記送信手段は、前記記憶手段に、前記第１識別情報に関連付けて記憶された前記第３解答データ及び前記第２識別情報に関連付けて記憶された前記第４解答データを、前記データ回線を用いて送信するように構成されている、
請求項１に記載の携帯型情報処理装置。
【請求項３】
前記入力手段は、前記第１受検者の第３識別情報及び前記第２受検者の第４識別情報を入力するように構成されており、
前記記憶手段は、前記第１解答を、前記第１識別情報及び前記第３識別情報に関連付けて前記第１解答データとして記憶し、かつ、前記第２解答を、前記第２識別情報及び前記第４識別情報に関連付けて第２解答データとして記憶するように構成されている、
請求項１又は２に記載の携帯型情報処理装置。
【請求項４】
スピーキングテストのアプリケーションを予め記憶する第１メモリと、前記第１メモリに記憶された前記アプリケーションを実行するための実行手段と、受検者に識別情報を入力させるための入力部と、受検者に前記スピーキングテストの解答となる音声を入力させるためのマイクと、前記マイクから入力された音声を解答データとして記憶する第２メモリと、前記解答データを送信するための送信手段と、をそれぞれ備える複数の携帯型情報処理装置を、それぞれ複数の受検者に配布して前記スピーキングテストを複数回実施させ、複数回の前記スピーキングテストの実施後に前記スピーキングテストに対する解答データが記憶された状態で複数の前記携帯型情報処理装置を回収するスピーキングテストの実行方法において、
複数の前記携帯型情報処理装置のそれぞれにおいて、
前記携帯型情報処理装置の入力部を用いて前記携帯型情報処理装置が配布される受検者による識別情報の入力を受け付けるステップと、
前記携帯型情報処理装置の実行手段を用いて、前記スピーキングテストのアプリケーションを実行するステップと、
前記携帯型情報処理装置のマイクを用いて、前記受検者による音声の入力を前記スピーキングテストの問題に対する第１解答として受け付けるステップと、
前記携帯型情報処理装置の第２メモリを用いて、前記第１解答と前記識別情報を関連付けて解答データとして記録するステップと、
を、異なる受検者について複数回実施させ、複数の前記携帯型情報端末のそれぞれに、複数の受検者の前記解答データを、各受検者の前記識別情報に関連付けて記憶させるステップと、
複数の前記携帯型情報端末を回収するステップと、
前記回収後に、複数の前記携帯型情報処理装置の前記送信手段をそれぞれ用いて、各受検者の前記識別情報にそれぞれ関連付けて記憶された複数の受検者の前記解答データを送信するステップと、
を備えるスピーキングテストの実行方法。
【請求項５】
前記携帯型情報処理装置の前記マイクを用いて、前記受検者による音声の入力を前記スピーキングテストの第２問題に対する第２解答として受け付けるステップと、
前記携帯型情報処理装置の前記第２メモリを用いて、前記第２解答と前記識別情報を関連付けて第２解答データとして記録するステップと、
前記回収後に、複数の前記携帯型情報処理装置の前記送信手段をそれぞれ用いて、各受検者の前記識別情報にそれぞれ関連付けて記憶された複数の受検者の前記第２解答データを送信するステップと、
を更に含む請求項４に記載のスピーキングテストの実行方法。
【請求項６】
前記携帯型情報処理装置の前記入力部を用いて前記携帯型情報処理装置が配布される前記受検者による第２識別情報の入力を受け付けるステップを更に含み、
前記記録するステップは、前記携帯型情報処理装置の前記第２メモリを用いて、前記第１解答を、前記識別情報及び前記第２識別情報に関連付けて前記解答データとして記録する、
請求項４又は５に記載のスピーキングテストの実行方法。
【請求項７】
サーバにより、複数の前記携帯型情報処理装置のそれぞれから、複数の受検者の前記識別情報にそれぞれ関連付けられた複数の前記解答データを受信するステップと、
複数の前記解答データを複数の採点装置に取得させるステップと、
前記サーバにより、複数の前記採点装置から前記解答データに対する採点データを取得し、前記識別情報と関連付けて記憶するステップと、
を更に含む請求項４乃至６の何れか一項に記載のスピーキングテストの実行方法。
【手続補正２】
【補正対象書類名】明細書
【補正対象項目名】発明の名称
【補正方法】変更
【補正の内容】
【発明の名称】携帯型情報処理装置及びスピーキングテストの実行方法
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
入力画像を構成する複数の入力画素がラスタスキャン順に入力される画像処理装置であって、
前記入力画像における前記入力画素の位置を、第１の画素位置計算により、出力画像における第１の画素位置に変換する、第１の計算部と、
前記出力画像における第１の画素位置の近傍の出力画素の位置を、第２の画素位置計算により、前記入力画像における第２の画素位置に変換する、第２の計算部と、
前記第２の画素位置の画素値を、前記入力画像における周囲の画素からの補間により算出する画素補間部と、
を備える画像処理装置。
【請求項２】
前記入力画素を格納するラインバッファを更に備えることを特徴とする、請求項１に記載の画像処理装置。
【請求項３】
前記第１の画素位置計算は、多項式を用いた関数、または、グリッドテーブル変換、または、前記多項式を用いた関数と前記グリッドテーブル変換の組み合わせであること、
前記第２の画素位置計算は、前記第１の画素位置計算の逆関数を用いて行うこと、
を特徴とする、請求項１又は請求項２に記載の画像処理装置。
【請求項４】
前記入力画素は、複数の色画素を有し、
ひとつの前記色画素を用いて算出された、前記第１の画素位置、または、前記第２の画素位置を、他の前記色画素の前記第２の画素位置に変換する、第３の計算部を更に備えることを特徴とする、請求項１乃至請求項３のいずれか一項に記載の画像処理装置。
【請求項５】
入力画像を構成する入力画素をラスタスキャン順に入力し、
前記入力画素の位置を、画素位置計算により出力画像における第１の画素位置に変換し、
前記出力画像における前記第１の画素位置近傍の出力画素の位置を、前記画素位置計算の逆関数を用いて、第２の画素位置に変換し、
前記第２の画素位置の画素値を、前記入力画像における周囲の画素からの補間により算出し、
前記補間により画素値を算出した順に、前記第２の画素位置の画素値を出力することを特徴とする、画像処理方法。
【請求項６】
前記入力画像は、複数の色画素から構成されており、ひとつの前記色画素を用いて算出した、前記第１の画素位置、または、前記第２の画素位置を、他の前記色画素の前記第２の画素位置に変換することを特徴とする、請求項５に記載の画像処理方法。
【請求項７】
前記出力画像における第１の画素位置を、所定のスケール値を用いて前記出力画像のピラミッド画像における第３の画素位置に変換する、第４の計算部と、
前記ピラミッド画像における第３の画素位置の近傍の出力画素の位置を、前記所定のスケール値と前記第２の画素位置計算により、前記入力画像における第４の画素位置に変換する、第５の計算部と、を更に備え、
前記画素補間部は、前記第２の画素位置の画素値と、前記第４の画素位置の画素値とを、前記入力画像における周囲の画素からの補間により算出することを特徴とする、請求項１乃至請求項３のいずれか一項に記載の画像処理装置。
【請求項８】
前記第４の計算部は、複数の異なる前記スケール値に対応した前記第３の画素位置を算出し、前記第５の計算部は、複数の異なる前記スケール値に対応した前記第４の画素位置を算出することを特徴とする、請求項７に記載の画像処理装置。
【請求項９】
前記入力画素は、複数の色画素を有し、
ひとつの前記色画素を用いて算出された、前記第１の画素位置、または、前記第２の画素位置を、他の前記色画素の前記第２の画素位置に変換し、ひとつの前記色画素を用いて算出された、前記第３の画素位置、または、前記第４の画素位置を、他の前記色画素の前記第４の画素位置に変換する、第６の計算部を更に備えることを特徴とする、請求項７又は請求項８に記載の画像処理装置。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
磁歪材から形成され、内側を流れる流体の圧力で変形する筒体と、
前記筒体の歪みによる磁場の変化を検知する検出部と、を備え、
前記筒体は、当該筒体の軸方向において湾曲又は屈曲した周壁部を備え、
前記検出部は、前記筒体と非接触である
圧力センサ。
【請求項２】
前記検出部は、前記周壁部の外径又は内径が変化する部分の近傍に設けられている
請求項１に記載の圧力センサ。
【請求項３】
前記筒体の周壁部は一定の厚さを有し、前記筒体の軸方向における前記周壁部の一部が前記筒体の径方向内側又は径方向外側に突出している
請求項１又は２に記載の圧力センサ。
【請求項４】
前記筒体の周壁部の厚さが当該筒体の軸方向に沿って変化する
請求項１又は２に記載の圧力センサ。
【請求項５】
磁歪材から形成され、内側を流れる流体の圧力で変形する筒体と、
前記筒体の磁場の変化を検知する検出部と、を備え、
前記筒体の周壁部には、当該筒体の軸方向と交差する段差面を備え、
前記検出部は、前記筒体と非接触である
圧力センサ。
【請求項６】
前記検出部は、前記段差面の近傍に設けられている
請求項５に記載の圧力センサ。
【請求項７】
前記筒体の外周に設けられるとともに、磁束の方向が当該筒体の軸方向と平行な方向を含む磁場を発生させる磁場発生部を備える
請求項１〜６のいずれか１項に記載の圧力センサ。
【手続補正２】
【補正対象書類名】明細書
【補正対象項目名】０００６
【補正方法】変更
【補正の内容】
【０００６】
上記課題を解決する圧力センサは、磁歪材から形成され、内側を流れる流体の圧力で変形する筒体と、前記筒体の歪みによる磁場の変化を検知する検出部と、を備え、前記筒体は、当該筒体の軸方向において湾曲又は屈曲した周壁部を備え、前記検出部は、前記筒体と非接触である。
上記圧力センサについて、前記検出部は、前記周壁部の外径又は内径が変化する部分の近傍に設けられていることが好ましい。
上記課題を解決する圧力センサは、磁歪材から形成され、内側を流れる流体の圧力で変形する筒体と、前記筒体の磁場の変化を検知する検出部と、を備え、前記筒体の周壁部には、当該筒体の軸方向と交差する段差面を備え、前記検出部は、前記筒体と非接触である。
上記圧力センサについて、前記検出部は、前記段差面の近傍に設けられていることが好ましい。
上記課題を解決する本発明の一態様の圧力センサは、磁歪材から形成され、内側を流れる流体の圧力で変形する筒体と、前記筒体の歪みによる磁場の変化を検知する検出部と、を備え、前記筒体は、当該筒体の軸方向において湾曲した周壁部（すなわち、筒体の軸線を含む面による断面が湾曲部を有する周壁部、あるいは、筒体の軸線に沿って連続的に厚さが変化する部分を有する周壁部）、又は当該筒体の軸方向において屈曲した周壁部（すなわち、筒体の軸線を含む面による断面が屈曲部を有する周壁部、あるいは、筒体の軸線に沿って段階的に厚さが変化する部分を有する周壁部）を備える。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
利用者が所望する訪問予定地に関する訪問予定地情報を含む旅行計画情報を取得する旅行計画情報取得手段と、
少なくとも一つ以上の上記訪問予定地を含む、好天時および悪天時の複数の訪問地に関する訪問地情報を取得する訪問地情報取得手段と、
上記旅行計画情報および上記訪問地情報に基づいて、上記訪問予定地を含む上記複数の訪問地の訪問順情報を含む、上記好天時の旅行支援情報、および、上記悪天時の代替旅行支援情報を作成する旅行支援情報作成手段と、
を備えたことを特徴とする、情報処理システム。
【請求項２】
請求項１に記載の情報処理システムであって、
上記旅行支援情報作成手段は、
上記旅行計画情報および上記訪問地情報に基づいて、上記訪問予定地を含む上記複数の訪問地の上記訪問順情報および上記訪問地間の移動手段の移動手段情報を含む、上記好天時の旅行支援情報、ならびに、上記悪天時の代替旅行支援情報を作成することを特徴とする、情報処理システム。
【請求項３】
端末装置に通信可能に接続されたサーバを、
上記端末装置から送信される、利用者が所望する訪問予定地に関する訪問予定地情報を含む旅行計画情報を取得する旅行計画情報取得手段、
少なくとも一つ以上の上記訪問予定地を含む、好天時および悪天時の複数の訪問地に関する訪問地情報を取得する訪問地情報取得手段、
上記旅行計画情報および上記訪問地情報に基づいて、上記訪問予定地を含む上記複数の訪問地の訪問順情報を含む、上記好天時の旅行支援情報、および、上記悪天時の代替旅行支援情報を作成する旅行支援情報作成手段、
として機能させることを特徴とする情報処理プログラム。
【請求項４】
通信可能に接続された複数の情報処理装置によって構成される情報処理システムを、
利用者が所望する訪問予定地に関する訪問予定地情報を含む旅行計画情報を取得する旅行計画情報取得手段と、
少なくとも一つ以上の上記訪問予定地を含む、好天時および悪天時の複数の訪問地に関する訪問地情報を取得する訪問地情報取得手段と、
上記旅行計画情報および上記訪問地情報に基づいて、上記訪問予定地を含む上記複数の訪問地の訪問順情報を含む、上記好天時の旅行支援情報、および、上記悪天時の代替旅行支援情報を作成する旅行支援情報作成手段と、
として機能させるための情報処理プログラムであって、
上記複数の情報処理装置のうち１つの情報処理装置を、
上記手段のうち１つまたは複数の手段として機能させるための情報処理プログラム。
【請求項５】
通信可能に接続された複数の情報処理装置によって構成される、請求項１または２に記載の情報処理システムを機能させるための情報処理プログラムであって、
上記複数の情報処理装置のうち１つの情報処理装置を、
上記手段のうち１つまたは複数の手段として機能させるための情報処理プログラム。
【請求項６】
コンピュータを、
利用者が所望する訪問予定地に関する訪問予定地情報を含む旅行計画情報を取得する旅行計画情報取得手段、
少なくとも一つ以上の上記訪問予定地を含む、好天時および悪天時の複数の訪問地に関する訪問地情報を取得する訪問地情報取得手段、
上記旅行計画情報および上記訪問地情報に基づいて、上記訪問予定地を含む上記複数の訪問地の訪問順情報を含む、上記好天時の旅行支援情報、および、上記悪天時の代替旅行支援情報を作成する旅行支援情報作成手段、
として機能させることを特徴とする情報処理プログラム。
【請求項７】
旅行計画情報取得手段が、利用者が所望する訪問予定地に関する訪問予定地情報を含む旅行計画情報を取得するステップと、
訪問地情報取得手段が、少なくとも一つ以上の上記訪問予定地を含む、好天時および悪天時の複数の訪問地に関する訪問地情報を取得するステップと、
旅行支援情報作成手段が、上記旅行計画情報および上記訪問地情報に基づいて、上記訪問予定地を含む上記複数の訪問地の訪問順情報を含む、上記好天時の旅行支援情報、および、上記悪天時の代替旅行支援情報を作成するステップと、
を備えることを特徴とする情報処理方法。
【手続補正書】
【提出日】令和1年5月24日(2019.5.24)
【手続補正１】
【補正対象書類名】特許請求の範囲
【補正対象項目名】請求項１
【補正方法】変更
【補正の内容】
【請求項１】
堰で囲まれた敷地内に設けられた複数の貯蔵タンクの間の中間区域を被覆するように設けられる内側カバーと、
前記貯蔵タンク及び堰の間の外周区域を被覆するように設けられる外側カバーと、
前記内側カバーの低域部から前記堰の外部領域に向けて配管される排水管路と、を備え、
前記貯蔵タンクは、タンク側面を有し、前記タンク側面の所定高さには取付部が設けられ、
前記内側カバーは、前記タンク側面に沿って形成される曲辺を有し、前記曲辺が前記取付部に連結され、
前記外側カバーは、前記タンク側面に沿って形成される内曲辺と、前記堰に沿って形成される外辺と、を有し、前記内曲辺が前記取付部に連結され、前記外辺が前記堰に対して前記内曲辺よりも低位となる傾斜状に連結されることを特徴とする雨水カバー装置。
【手続補正２】
【補正対象書類名】明細書
【補正対象項目名】０００５
【補正方法】変更
【補正の内容】
【０００５】
このような課題を解決するために本発明に係る雨水カバー装置は、堰で囲まれた敷地内に設けられた複数の貯蔵タンクの間の中間区域を被覆するように設けられる内側カバーと、前記貯蔵タンク及び堰の間の外周区域を被覆するように設けられる外側カバーと、前記内側カバーの低域部から前記堰の外部領域に向けて配管される排水管路と、を備え、前記貯蔵タンクは、タンク側面を有し、前記タンク側面の所定高さには取付部が設けられ、前記内側カバーは、前記タンク側面に沿って形成される曲辺を有し、前記曲辺が前記取付部に連結され、前記外側カバーは、前記タンク側面に沿って形成される内曲辺と、前記堰に沿って形成される外辺と、を有し、前記内曲辺が前記取付部に連結され、前記外辺が前記堰に対して前記内曲辺よりも低位となる傾斜状に連結されることを特徴とする。
【手続補正書】
【提出日】平成31年2月20日(2019.2.20)
【手続補正１】
【補正対象書類名】明細書
【補正対象項目名】０００７
【補正方法】変更
【補正の内容】
【０００７】
前記課題を解決するために、本発明に係る文字板の近傍を回転する回転体である装飾部材の製造方法は、
凹部領域を備える転写面が形成され、当該凹部領域とそれ以外の領域とで仕上がり状態における表面粗さを変化させた金型を用いて基材を成型する工程と、
前記基材の転写面側に同条件の表面加工処理を施す工程と、
を備えることを特徴としている。
【手続補正２】
【補正対象書類名】特許請求の範囲
【補正対象項目名】全文
【補正方法】変更
【補正の内容】
【特許請求の範囲】
【請求項１】
凹部領域を備える転写面が形成され、当該凹部領域とそれ以外の領域とで仕上がり状態における表面粗さを変化させた金型を用いて基材を成型する工程と、
前記基材の転写面側に同条件の表面加工処理を施す工程と、
を備えることを特徴とする文字板の近傍を回転する回転体である装飾部材の製造方法。
【請求項２】
前記金型の前記凹部領域にはシボ加工処理が施され、前記それ以外の領域には、鏡面加工処理が施されていることを特徴とする請求項１に記載の装飾部材の製造方法。
【請求項３】
前記基材に施される表面加工処理は、蒸着処理又はスパッタリング処理であることを特徴とする請求項１又は請求項２に記載の装飾部材の製造方法。
【請求項４】
表面に凸部領域を備える円形状の装飾部材であって、
前記凸部領域に所定サイズの凸が形成された第１の質感部と、
前記凸部領域以外が前記第１の質感部の前記所定サイズよりも小さいサイズの凸が形成された第２の質感部と、
を備え、
前記装飾部材は文字板の近傍を回転する回転体であり、
前記表面は同条件の色の表面加工処理が施されていることを特徴とする装飾部材。
【請求項５】
請求項４に記載の装飾部材を備えることを特徴とする時計。
【手続補正書】
【提出日】平成31年3月11日(2019.3.11)
【手続補正１】
【補正対象書類名】特許請求の範囲
【補正対象項目名】請求項８
【補正方法】変更
【補正の内容】
【請求項８】
前記時間帯と前記座席指定区間の組を指定した前記予約要求に対して座席を割り当てる座席割当部を備え、
前記座席割当部は、受理した前記予約のそれぞれに係る時間帯の開始時刻および終了時刻の少なくともいずれかと、便の発車時刻と、に応じて前記時間帯の優先度を算出し、前記優先度に応じて前記予約要求に係る予約に対して座席を割当可能な便を決定すること、
を特徴とする請求項１に記載の座席予約装置。
【手続補正２】
【補正対象書類名】特許請求の範囲
【補正対象項目名】請求項１１
【補正方法】変更
【補正の内容】
【請求項１１】
所定交通機関に関して時間帯と座席指定区間の組を指定した予約要求を処理するコンピュータが、
時間帯と座席指定区間の組ごとの予約可能な座席数である予約許容数と、前記時間帯と座席指定区間の組ごとの予約を受理した数である予約受理数と、受理した各々の予約に係る前記時間帯と座席指定区間と座席数とを含む予約情報と、を記憶するステップと、
前記時間帯と座席指定区間の組を指定した予約要求を受信し、前記予約許容数および前記予約受理数に応じて前記予約要求の受理または謝絶を判定するステップと、
前記交通機関の未来の運行状況を含む運行予測情報に基づいて、前記時間帯と座席指定区間の組を指定した予約要求に対して割当可能な前記交通機関の便の座席数である割当可能座席数を決定し、前記割当可能座席数に応じて前記時間帯と座席指定区間の組ごとの前記予約許容数を更新するステップと、
を実行することを特徴とする座席予約方法。
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
ＰＯＳ端末と給油機を有する給油装置と、前記ＰＯＳ端末と連携するＰＯＳ本体を有する給油サービスステーションにおける個人識別情報を用いる給油システムであって、
顧客の個人識別情報と取引情報とを紐づけて管理するＩＤセンターを有し、
前記顧客から入力される個人識別情報を前記ＰＯＳ本体により、又は前記顧客の有する通信機器により前記ＩＤセンターに送り、
前記ＩＤセンターは、前記顧客の個人識別情報に紐づけている取引情報を検索して、前記ＰＯＳ本体に返送することにより、前記顧客は前記取引情報に基づく給油サービスの提供を受ける
ことを特徴とする個人識別情報を用いる給油システム。
【請求項２】
請求項１において、
前記顧客の個人識別情報と紐づけて管理される取引情報は、現金、クレジット、あるいは電子マネーでの支払方法に関する支払方法情報と、あらかじめ定めたパターンでの給油条件に関する給油条件情報、更に値引き情報とポイント情報とオートチャージ情報の何れかを含む
ことを特徴とする個人識別情報を用いる給油システム。
【請求項３】
請求項２において、
さらに、ネットワークを通して前記ＩＤセンターと接続されるポイント管理センターを有し、
前記ＩＤセンターは、前記顧客の個人識別情報に基づき対応するポイントカード番号を前記ポイント管理センターに通知し、
前記ポイント管理センターは、通知されるポイントカード番号に対応するポイント情報を前記ＩＤセンターに返送することにより、前記顧客の個人識別情報に紐づけている取引情報に前記ポイント情報を含めて前記顧客に提示する
ことを特徴とする個人識別情報を用いる給油システム。
【請求項４】
請求項２において、
さらに、ネットワークを通して前記ＩＤセンターと接続される１または複数のクレジットセンターを有し、
前記ＩＤセンターは、給油取引の前に、前記複数のクレジットセンターのうちの前記顧客の個人識別情報に対応するクレジットセンターに事前認証の確認を求め、前記認証の結果に基づきオートチャージ売上データを前記ＰＯＳ本体に通知する
ことを特徴とする個人識別情報を用いる給油システム。
【請求項５】
請求項２乃至４の何れか１項において、
個人識別情報と紐づけられる前記支払方法情報を含む取引情報を、個人識別情報が記録された媒体から読み取り、前記ＰＯＳ本体により前記ＩＤセンターに登録する
ことを特徴とする個人識別情報を用いる給油システム。  
【請求項６】
請求項２乃至４の何れか１項において、
個人識別情報を記録した顧客保有の媒体を用いて給油を行い、給油後に前記ＰＯＳ端末に表示されるＩＤ登録確認画面に基づき、前記顧客による登録指示により前記ＩＤセンターに前記支払方法情報を含む取引情報の登録を行う
ことを特徴とする個人識別情報を用いる給油システム。
【請求項７】
請求項２乃至４の何れか１項において、
携帯端末の表示画面で、個人識別情報を設定し、前記顧客が選択する前記支払方法に関する前記支払方法情報を含む取引情報を前記ＩＤセンターに送信して登録を行う
ことを特徴とする個人識別情報を用いる給油システム。
【請求項８】
請求項２乃至７の何れか１項において、
前記取引情報を前記ＩＤセンターに登録する際に、前記支払方法がプリペイド型の電子マネーの場合であって、チャージ額が一定金額あるいは支払額に満たない場合に、自動で所定の金額データを加算し、加算した額を後にクレジット清算するオートチャージを行うか否かを選択することができる
ことを特徴とする個人識別情報を用いる給油システム。
【請求項９】
請求項１乃至８の何れか１項において、
前記個人識別情報として、一の個人識別情報と他の個人識別情報を連携させて特定の顧客集団を構成する
ことを特徴とする個人識別情報を用いる給油システム。
【請求項１０】
請求項１乃至９の何れか１項において、
値引き、あるいはポイントの特典付与の条件を前記ＩＤセンターに登録し、
前記個人識別情報に基づく取引情報に基づき、前記特典付与の条件に照らし、対応する顧客の取引の際に前記特典を付与する
ことを特徴とする個人識別情報を用いる給油システム。
【請求項１１】
請求項１において、
個人識別情報と紐づけられる、支払方法に関する支払方法情報を含む取引情報を、個人識別情報が記録された媒体から読み取り、前記ＰＯＳ本体により前記ＩＤセンターに登録する
ことを特徴とする個人識別情報を用いる給油システム。
【請求項１２】
請求項１において、
個人識別情報を記録した顧客保有の媒体を用いて給油を行い、給油後に前記ＰＯＳ端末に表示されるＩＤ登録確認画面に基づき、前記顧客による登録指示により前記ＩＤセンターに、支払方法に関する支払方法情報を含む取引情報の登録を行う
ことを特徴とする個人識別情報を用いる給油システム。
【請求項１３】
請求項１において、
携帯端末の表示画面で、個人識別情報を設定し、前記顧客が選択する支払方法に関する支払方法情報を含む取引情報を前記ＩＤセンターに送信して登録を行う
ことを特徴とする個人識別情報を用いる給油システム。
【請求項１４】
請求項１乃至９の何れか１項において、
値引き、あるいはポイントの特典付与の条件を前記ＩＤセンターに登録し、
前記取引情報に記憶された顧客の購入履歴を、前記特典付与の条件に照らし、対応する顧客の取引の際に前記特典を付与する
ことを特徴とする個人識別情報を用いる給油システム。
【請求項１５】
請求項２において、
前記顧客は、前記取引情報に含まれる前記支払方法情報に応じて、値引き、あるいはポイントの特典が付与される
ことを特徴とする個人識別情報を用いる給油システム。
【請求項１６】
請求項１５において、
前記付与される特典は、前記支払方法情報が現金での支払方法である場合、前記支払方法情報がクレジット及び電子マネーでの支払方法の顧客より、有利な特典である
ことを特徴とする個人識別情報を用いる給油システム。